(57)【要約】【課題】水分Ｗの浸入を防止することにより品質の向上を図ることができる補聴器を提供する。【解決手段】補聴器１０は、使用者の耳介の付け根の上部に係止可能であるとともに付け根の後方に連続する本体１１を備え、本体１１における付け根に対面する前面１２とは反対側の背面１３において、使用状態において上方となる位置に設けられた突起物１４と、使用状態における突起物１４よりも下方となる位置に設けられた電池収容部１５と、電池収容部１５を閉鎖するとともに背面１３との間に形成された境界隙間１６が使用状態における上方から下方に連続する蓋部材１７と、突起物１４を囲むとともに背面１３に対して凸状に形成された第１段差面１８と、第１段差面１８に接続されているとともに境界隙間１６に沿って蓋部材１７を挟むように連続する第２段差面１９とを有し、境界隙間１６を形成するための、蓋部材１７の蓋部材壁面２０と、蓋部材壁面２０に対向する本体壁面２１とのうちの一方を露出させた。【選択図】図１
2010199730.tif 000002
【特許請求の範囲】
【請求項１】
使用者の耳介の付け根の上部に係止可能であるとともに、前記付け根の後方に連続する本体を備え、
前記本体における前記付け根に対面する前面に対して反対側の背面において、使用状態において上方となる位置に設けられた突起物と、
使用状態における前記突起物よりも下方となる位置に設けられた電池収容部と、
前記電池収容部を閉鎖するとともに、前記背面との間に形成された境界隙間が使用状態における上方から下方に連続する蓋部材と、
前記突起物を囲むとともに前記背面に対して凸状に形成された第１段差面と、
前記第１段差面に接続されているとともに前記境界隙間に沿って前記蓋部材を挟むように連続する第２段差面とを有し、
前記境界隙間を形成するための、前記蓋部材の蓋部材壁面と、前記蓋部材壁面に対向する本体壁面とのうちの一方が露出していることを特徴とする補聴器。
【請求項２】
前記第１段差面が、使用状態における上方に向かって先細りとなる略三角形状であることを特徴とする請求項１に記載の補聴器。
【請求項３】
前記第２段差面の表面が、前記蓋部材の表面に対して凸状であることを特徴とする請求項１または請求項２に記載の補聴器。
【請求項４】
使用状態における前記第２段差面の上方から下方までの連続長さが５ｍｍ以上であることを特徴とする請求項１〜請求項３のうちのいずれかに記載の補聴器。
【請求項５】
使用状態における前記本体の最下端部と前記蓋部材との間に設けられた突出部を備え、
前記第２段差面の最下端が前記突出部まで連続していることを特徴とする請求項１〜請求項３のうちのいずれかに記載の補聴器。
【発明の詳細な説明】
【技術分野】
【０００１】
本発明は、集音した音源を増幅して出力することにより補聴機能を補う補聴器に関し、特に耳掛け型の補聴器に関する。
【背景技術】
【０００２】
本体底部に電池ホルダを設け、底面から突出する突出形成部を設けた補聴器がある。このような補聴器では汗が突出形成部に溜まるので電池ケースに汗が入りにくいようになっている（例えば、特許文献１参照）。
【特許文献１】特開平９−２１５０９７号公報（図１、００１６，００１７段落）
【発明の開示】
【発明が解決しようとする課題】
【０００３】
しかしながら、上記特許文献１においては、汗など（雨も含む）の水分の浸入を十分に防止できない。特に電池蓋のすぐ上に突起状のボタンがあると、突出形成部のところに水滴が溜まって、電池蓋の中に水分が入りやすくなってしまう。
従って、内部回路の接点が腐食したり、あるいは接続不良になったりして電源が入らなくなる虞がある。
【０００４】
本発明は、前述した課題を解決するためになされたものであり、その目的は、水分の浸入を防止することにより品質の向上を図ることができる補聴器を提供することにある。
【課題を解決するための手段】
【０００５】
本発明に係る補聴器は、使用者の耳介の付け根の上部に係止可能であるとともに、前記付け根の後方に連続する本体を備え、前記本体における前記付け根に対面する前面に対して反対側の背面において、使用状態において上方となる位置に設けられた突起物と、使用状態における前記突起物よりも下方となる位置に設けられた電池収容部と、前記電池収容部を閉鎖するとともに、前記背面との間に形成された境界隙間が使用状態における上方から下方に連続する蓋部材と、前記突起物を囲むとともに前記背面に対して凸状に形成された第１段差面と、前記第１段差面に接続されているとともに前記境界隙間に沿って前記蓋部材を挟むように連続する第２段差面とを有し、前記境界隙間を形成するための、前記蓋部材の蓋部材壁面と、前記蓋部材壁面に対向する本体壁面とのうちの一方が露出していることを特徴とする。
【０００６】
本発明においては、使用者が本体を耳介の付け根の上部に係止して使用中に、汗をかいたり雨がかかったりした際、その水分は本体の背面上を上部から下部へ向けて流れる。そして、水分は、突起物を囲み背面に対して凸状に形成された第１段差面と第１段差面に接続されているとともに境界隙間に沿って蓋部材を挟んで連続する第２段差面とに衝突する。
これにより、水分は第１段差面および第２段差面により外方向に指向性を与えられて進行する。
従って、境界隙間から本体の内部への水分の浸入を防止することにより品質の向上を図ることができる。
【０００７】
本発明においては、本体の背面上を上部から下部へ向けて流れる水分が多い場合、水分は第１段差面または第２段差面を乗り越えて境界隙間へ向けて進行する。このとき、境界隙間を形成するための蓋部材壁面と本体壁面とが均一面を形成せずに、段差を形成するようにいずれか一方が露出している。
これにより、水分が蓋部材壁面と本体壁面との間の境界隙間上に溜まりにくいとともに、蓋部材壁面の上端縁と本体壁面の上端縁とが段差を形成している場合に境界隙間に対して毛細管現象による本体内への水分の浸入を抑制できる。
従って、水分は本体上を移動するエネルギーを与えられて下方に向けて自然落下することにより境界隙間から本体の内部へ浸入することがない。
【０００８】
本発明に係る補聴器は、上記補聴器において、前記第１段差面が、使用状態における上方に向かって先細りとなる略三角形状であることを特徴とする。
【０００９】
本発明においては、本体の背面上を上部から下部へ向けて流れる水分は、上方に向かって先細りとなる略三角形状の第１段差面により、三角形の１つまたは２つの辺に沿って外側に流されるので、第１段差面または第２段差面を乗り越えることを抑制できる。
従って、本発明においては、本体の背面上を上部から下部へ向けて流れる水分が背面と蓋部材との間の境界隙間から本体の内部に浸入し難くすることができる。
【００１０】
本発明に係る補聴器は、上記補聴器において、前記第２段差面の表面が、前記蓋部材の表面に対して凸状であることを特徴とする。
【００１１】
本発明においては、本体の背面上を上部から下部へ向けて流れる水分が第２段差面に向けて進行してきた際に、第２段差面の表面が蓋部材の表面に対して凸であるために、水分は第２段差面の表面に衝突する。
従って、水分の蓋部材へ進行を阻止することができる。
【００１２】
本発明に係る補聴器は、上記補聴器において、使用状態における前記第２段差面の上方から下方までの連続長さが５ｍｍ以上であることを特徴とする。
【００１３】
本発明においては、本体の背面上を上部から下部へ向けて流れてきた水分が第２段差面に向けて進行した場合、第２段差面の上方から下方までの連続長さが５ｍｍ以上であるために、第２段差面に向けて進行する水分のエネルギーを下方へ向けたエネルギーに変換する。
従って、第２段差面に向けて進行してきた水分は下方へ方向を変更して進行することにより蓋部材へ進行を防止することができる。
【００１４】
本発明に係る補聴器は、上記補聴器において、使用状態における前記本体の最下端部と前記蓋部材との間に設けられた突出部を備え、前記第２段差面の最下端が前記突出部まで連続していることを特徴とする。
【００１５】
本発明においては、使用状態における本体の下方に位置する突出部まで第２段差面が連続しているため、第２段差面の側辺に沿って流下する水分が第２段差面の端部に到達しても、水分が突出部を経てさらに下方に流下されるか、あるいは滴下される。
すなわち、本発明においては、背面と蓋部材との間の境界隙間から本体の内部に浸入することを確実に抑制できる。
【発明の効果】
【００１６】
本発明の補聴器によれば、使用者の耳介の付け根の上部に係止可能であるとともに、付け根の後方に連続する本体を備え、本体における付け根に対面する前面に対して反対側の背面において、使用状態において上方となる位置に設けられた突起物と、使用状態における突起物よりも下方となる位置に設けられた電池収容部と、電池収容部を閉鎖するとともに、背面との間に形成された境界隙間が使用状態における上方から下方に連続する蓋部材と、突起物を囲むとともに背面に対して凸状に形成された第１段差面と、第１段差面に接続されているとともに境界隙間に沿って蓋部材を挟むように連続する第２段差面とを有し、境界隙間を形成するための、蓋部材の蓋部材壁面と、蓋部材壁面に対向する本体壁面とのうちの一方を露出させた。
これにより、水分の浸入を防止することにより品質の向上を図ることができるという効果を有する。
【発明を実施するための最良の形態】
【００１７】
以下、本発明の複数の実施形態に係る補聴器について図面を参照して説明する。
【００１８】
（第１実施形態）
本発明の第１実施形態である補聴器１０は、耳掛け型であって、使用者１の耳介２の付け根３の上部に係止可能であるとともに付け根３の後方に連続する本体１１と、本体１１における付け根３に対面する前面１２に対して反対側の背面１３において使用状態において上方となる位置に設けられた例えばメモリスイッチである突起物１４と、使用状態における突起物１４よりも下方となる位置に設けられた電池収容部１５と、電池収容部１５を閉鎖するとともに背面１３との間に形成された境界隙間１６が使用状態における上方から下方に連続する蓋部材１７とを備える。
【００１９】
また、補聴器１０は、突起物１４を囲むとともに背面１３に対して凸状に形成された第１段差面１８と、第１段差面１８に接続されているとともに境界隙間１６に沿って蓋部材１７を挟むように連続する第２段差面１９とを有し、境界隙間１６を形成するための蓋部材１７の蓋部材壁面２０と蓋部材壁面２０に対向する本体壁面２１とのうちの一方の本体壁面２１を露出させている。なお、以下の説明中の上下は使用状態での姿勢を言う。
【００２０】
図１に示すように、本体１１には、音声信号を電気信号に変換するための不図示のマイクロホンや、マイクロホンの出力信号を増幅するとともに補聴処理する同じく不図示の補聴処理回路や、補聴処理回路の出力信号を音声信号に変換する不図示のイヤホン回路等を収納している。本体１１は、電池収容部１５内に不図示の電池および電池に電気的に接続される不図示の接点金具等の電気部品を収容している。
【００２１】
本体１１の背面１３には、上部から下部に向けて、ダイヤルスイッチ２２、突起物１４、蓋部材１７の順に配設されている。
【００２２】
蓋部材１７は、その中央部に蓋部材開成用ノブである突出部２３を突出形成している。
【００２３】
図２にも示すように、本体１１はチューブ形状をなすイヤーフック２４を上端部から屈曲して延出している。イヤーフック２４の先端部には外耳道挿入部２５が装着されている。
【００２４】
蓋部材１７は本体１１の背面１３の下部から前面１２の下部まで連続した断面視略Ｃ字状の板形状に形成されている。蓋部材１７は突出部２３を下方に向けて押圧することにより前面１２側を回動中心として下方に向けて回動して電池収容部１５を開成する。
【００２５】
図３，４，５，６，７，８にも示すように、本体１１の背面１３は中央部の中央背面部２６と中央背面部２６の側部に配置された一対の側部背面部２７とを有する。
【００２６】
中央背面部２６は下部に行くにつれて幅広に形成されている。側部背面部２７は中央背面部２６の端縁から段部を介して一段下がって形成されている。
【００２７】
図９（ａ）にも示すように、第１段差面１８と第２段差面１９とは中央背面部２６の下部に配置されている。第１段差面１８は上方に向かって先細りとなる略三角形状に形成されている。
【００２８】
第２段差面１９は、第１段差面１８の両端部から下方に向けて延出されている。第２段差面１９は第１段差面１８と同様に中央背面部２６に対して図９中の手前方向に向けて、例えば０．１５ｍｍ上がった第１段差面１８と同一の面を形成している。
【００２９】
図１０，１１にも示すように、第２段差面１９は、それらの上方から下方まで連続する５ｍｍ以上の長さ寸法Ｌ１を有し、それらの最下端が突出部２３まで連続している。
【００３０】
図１２にも示すように、境界隙間１６は蓋部材１７と本体１１の背面１３との間において蓋部材１７の蓋部材壁面２０と蓋部材壁面２０に対向する本体壁面２１とから形成されている。
【００３１】
第２段差面１９は、その表面が蓋部材１７の表面に対して凸状である。そのため、蓋部材１７の蓋部材壁面２０と本体壁面２１とのうちの一方の本体壁面２１を露出させている。
【００３２】
図１３にも示すように、補聴器１０は、イヤーフック２４を使用者１の耳介２の付け根３の上部に係止し、外耳道挿入部２５を外耳道に挿入し、ダイヤルスイッチ２２や突起物１４を操作してから使用される。
【００３３】
図９（ｂ）に示すように、使用中に、使用者１が汗をかいたり、雨水がかかったりした場合、その水分Ｗは本体１１の背面１３上を上部から下部へ向けて流れる。水分Ｗは上方に向かって先細りとなる略三角形状の第１段差面１８により、第１段差面１８の１つまたは２つの辺に沿って外側に流されるので、第１段差面１８または第２段差面１９を乗り越えることが抑制される。
従って、本体１１の背面１３上を上部から下部へ向けて流れる水分Ｗが背面１３と蓋部材１７との間の境界隙間１６から本体１１の内部に浸入し難い。
【００３４】
水分Ｗの量が多い場合、第１段差面１８または第２段差面１９を乗り越えて境界隙間１６へ向けて進行する。しかし、境界隙間１６を形成するための蓋部材壁面２０と本体壁面２１とが同一高さではなく、本体壁面２１の上端縁が露出している。
これにより、水分Ｗは蓋部材壁面２０と本体壁面２１との間の境界隙間１６上に溜まりにくい。
また、蓋部材壁面２０と本体壁面２１との間に段差が無い場合には、境界隙間１６に水分Ｗが溜まって毛細管現象から蓋部材内部に水分Ｗが浸入してしまうが、蓋部材壁面２０の上端縁と本体壁面２１の上端縁との間に段差があり、水分Ｗが段差に溜まらないので本体１１内部に水分Ｗが浸入してしまうのを抑制できる。
【００３５】
図１４にも示すように、第１実施形態の補聴器１０の第１変形例では、蓋部材１７の表面が第２段差面１９よりも例えば０．５ｍｍ上がった面を形成している。そのため、そのため、蓋部材１７の蓋部材壁面２０と本体壁面２１とのうちの他方の蓋部材壁面２０を露出させている。
【００３６】
第１変形例では、水分Ｗの量が多い場合、境界隙間１６を形成するための蓋部材壁面２０と本体壁面２１とのうちの蓋部材壁面２０が露出している。
これにより、水分Ｗは蓋部材壁面２０と本体壁面２１との間の境界隙間１６上に溜まることがないとともに毛細管現象を発生させない。
【００３７】
図１５にも示すように、第１実施形態の補聴器１０の第２変形例では、蓋部材１７が断面視かまぼこ形状に形成されており、蓋部材１７の頂部を第２段差面１９と同一に形成している。そのため、蓋部材１７の蓋部材壁面２０と本体壁面２１とのうちの一方の本体壁面２１を露出させている。
【００３８】
第２変形例では、水分Ｗの量が多い場合、境界隙間１６を形成するための蓋部材壁面２０と本体壁面２１とのうちの本体壁面２１が露出している。
これにより、水分Ｗは蓋部材壁面２０と本体壁面２１との間の境界隙間１６上に溜まることがないとともに毛細管現象を発生させない。
【００３９】
第１実施形態の補聴器１０では、使用者が本体１１を耳介２の付け根３の上部に係止して使用中に、汗をかいたり雨がかかったりした際、その水分Ｗは本体１１の背面１３上を上部から下部へ向けて流れる。そして、水分Ｗは、突起物１４を囲み背面１３に対して凸状に形成された第１段差面１８と第１段差面１８に接続されているとともに境界隙間１６に沿って蓋部材１７を挟んで連続する第２段差面１９とに衝突する。
これにより、水分Ｗは第１段差面１８および第２段差面１９により外方向に指向性を与えられて進行する。
従って、境界隙間１６から本体１１の内部への水分Ｗの浸入を防止することにより品質の向上を図ることができる。
【００４０】
第１実施形態の補聴器１０では、本体１１の背面１３上を上部から下部へ向けて流れる水分Ｗが多い場合、水分Ｗは第１段差面１８または第２段差面１９を乗り越えて境界隙間１６へ向けて進行する。このとき、境界隙間１６を形成するための蓋部材壁面２０と本体壁面２１とが背面１３に対して同一高さではなく、段差を形成するように蓋部材壁面２０または本体壁面２１が露出している。
これにより、水分Ｗが蓋部材壁面２０と本体壁面２１との間の境界隙間１６上に溜まることがないとともに、蓋部材壁面２０と本体壁面２１とが同一高さである場合に境界隙間１６に対して生じうる毛細管現象を発生することがなくなる。
従って、水分Ｗは本体１１上を移動するエネルギーを与えられて下方に向けて自然落下することにより境界隙間１６から本体１１の内部へ浸入することがない。
【００４１】
第１実施形態の補聴器１０では、本体１１の背面１３上を上部から下部へ向けて流れる水分Ｗは上方に向かって先細りとなる略三角形状の第１段差面１８により１つまたは２つの辺に沿って外側に流される。
従って、水分Ｗが第１段差面１８または第２段差面１９を乗り越え難くすることができる。
【００４２】
第１実施形態の補聴器１０では、本体１１の背面１３上を上部から下部へ向けて流れる水分Ｗが第２段差面１９に向けて進行してきた際に、第２段差面１９の表面が蓋部材１７の表面に対して凸であるために、水分Ｗは第２段差面１９の表面に衝突する。
従って、水分Ｗの蓋部材１７へ進行を阻止することができる。
【００４３】
第１実施形態の補聴器１０では、本体１１の背面１３上を上部から下部へ向けて流れてきた水分Ｗが第２段差面１９に向けて進行した場合、第２段差面１９の上方から下方までの連続長さが５ｍｍ以上であるために、第２段差面１９に向けて進行する水分Ｗのエネルギーを下方へ向けたエネルギーに変換する。
従って、第２段差面１９に向けて進行してきた水分Ｗは下方へ方向を変更して進行することにより蓋部材１７へ進行を防止することができる。
【００４４】
第１実施形態の補聴器１０では、本体１１の背面１３上を上部から下部へ向けて流れてきた水分Ｗが第２段差面１９に向けて進行した場合、第２段差面１９の最下端が突出部２３まで連続しているために、水分Ｗを第２段差面１９に沿って進行させる。
従って、水分Ｗを突出部２３へ向けて進行させずに蓋部材１７へ進行させることがない。
【００４５】
（第２実施形態）
次に、本発明の第２実施形態の補聴器について説明する。なお、以下の第２実施形態において、上述した第１実施形態と重複する構成要素や機能的に同様な構成要素については、図中に同一符号あるいは相当符号を付することによって説明を簡略化あるいは省略する。
【００４６】
図１６，１７，１８，１９，２０，２１，２２，２３，２４（ａ）、（ｂ）にも示すように、本発明の第２実施形態の補聴器３０は、上方に向けて凸に湾曲した第１段差面３１と第１段差面３１の両端部から下方に向けて延出された第２段差面３２とを備えている。
【００４７】
図２５，２６にも示すように、第２段差面３２は、第１段差面３１と同様に中央背面部２６に対して、例えば０．１５ｍｍ上がった第１段差面３１と同一の面を形成している。
【００４８】
第２段差面３２は、それらの上方から下方まで連続する５ｍｍ以上の長さ寸法Ｌ１を有し、それらの最下端が突出部２３まで連続している。
【００４９】
図２７にも示すように、第２段差面３２は、その表面が蓋部材１７の表面に対して凸状である。そのため、蓋部材１７の蓋部材壁面２０と本体壁面２１とのうちの一方の本体壁面２１を露出させている。
【００５０】
図２８にも示すように、第２実施形態の補聴器３０の第１変形例では、蓋部材１７の表面が第２段差面３２よりも例えば０．５ｍｍ上がった面を形成している。そのため、そのため、蓋部材１７の蓋部材壁面２０と本体壁面２１とのうちの他方の蓋部材壁面２０を露出させている。
【００５１】
第１変形例では、水分Ｗの量が多い場合、境界隙間１６を形成するための蓋部材壁面２０と本体壁面２１とのうちの蓋部材壁面２０が露出しているため、水分Ｗは蓋部材壁面２０と本体壁面２１との間の境界隙間１６上に溜まることがないとともに毛細管現象を発生させない。
【００５２】
図２９にも示すように、第２実施形態の補聴器３０の第２変形例では、蓋部材１７が断面視かまぼこ形状に形成されており、蓋部材１７の頂部を第２段差面３２と同一に形成している。そのため、蓋部材１７の蓋部材壁面２０と本体壁面２１とのうちの一方の本体壁面２１を露出させている。
【００５３】
第２変形例では、水分Ｗの量が多い場合、境界隙間１６を形成するための蓋部材壁面２０と本体壁面２１とのうちの本体壁面２１が露出している。
これにより、水分Ｗは蓋部材壁面２０と本体壁面２１との間の境界隙間１６上に溜まることがないとともに毛細管現象を発生させない。
【００５４】
第２実施形態の補聴器３０は第１実施形態と同様の作用効果を奏する。特に、第２実施形態の補聴器３０では、第１段差面３１を、突起物１４を囲む緩やかな湾曲面で形成しているために、意匠面で良好にすることができる。
【００５５】
なお、前記実施形態で使用したイヤーフック２４、外耳道挿入部２５等は例示したものに限定するものではなく適宜変更が可能である。
【図面の簡単な説明】
【００５６】
【図１】本発明に係る第１実施形態の補聴器の斜め正面から視た外観斜視図
【図２】図１に示した補聴器の斜め背面から視た外観斜視図
【図３】図１に示した補聴器の正面図
【図４】図１に示した補聴器の平面図
【図５】図１に示した補聴器の底面図
【図６】図１に示した補聴器の左側面図
【図７】図１に示した補聴器の右側面図
【図８】図１に示した補聴器の背面図
【図９】（ａ）は図１に示した補聴器の要部拡大外観斜視図、（ｂ）は図１に示した補聴器の背面を水分が流れる状態を示す要部拡大外観斜視図
【図１０】図３に示した補聴器のＡ−Ａ線断面図
【図１１】図３に示した補聴器のＢ−Ｂ線断面図
【図１２】図３に示した補聴器のＣ−Ｃ線断面図
【図１３】図１に示した補聴器の使用状態を説明する左側面図
【図１４】本発明に係る第１実施形態の補聴器の第１変形例の図１２相当の断面図
【図１５】本発明に係る第１実施形態の補聴器の第２変形例の図１２相当の断面図
【図１６】本発明に係る第２実施形態の補聴器の斜め正面から視た外観斜視図
【図１７】図１６に示した補聴器の斜め背面から視た外観斜視図
【図１８】図１６に示した補聴器の正面図
【図１９】図１６に示した補聴器の平面図
【図２０】図１６に示した補聴器の底面図
【図２１】図１６に示した補聴器の左側面図
【図２２】図１６に示した補聴器の右側面図
【図２３】図１６に示した補聴器の背面図
【図２４】（ａ）は図１６に示した補聴器の要部拡大外観斜視図、（ｂ）は図１６に示した補聴器の背面を水分が流れる状態を示す要部拡大外観斜視図
【図２５】図１８に示した補聴器のＤ−Ｄ線断面図
【図２６】図１８に示した補聴器のＥ−Ｅ線断面図
【図２７】図１８に示した補聴器のＦ−Ｆ線断面図
【図２８】本発明に係る第２実施形態の補聴器の第１変形例の図２７相当の断面図
【図２９】本発明に係る第２実施形態の補聴器の第２変形例の図２７相当の断面図
【符号の説明】
【００５７】
１    使用者
２    耳介
３    付け根
１０  補聴器
１１  本体
１２  前面
１３  背面
１４  突起物
１５  電池収容部
１６  境界隙間
１７  蓋部材
１８、３１  第１段差面
１９、３２  第２段差面
２０  蓋部材壁面
２１  本体壁面
２３  突出部
３０  補聴器
【図１】
2010199730.tif 000003
【図２】
2010199730.tif 000004
【図３】
2010199730.tif 000005
【図４】
2010199730.tif 000006
【図５】
2010199730.tif 000007
【図６】
2010199730.tif 000008
【図７】
2010199730.tif 000009
【図８】
2010199730.tif 000010
【図９】
2010199730.tif 000011
【図１０】
2010199730.tif 000012
【図１１】
2010199730.tif 000013
【図１２】
2010199730.tif 000014
【図１３】
2010199730.tif 000015
【図１４】
2010199730.tif 000016
【図１５】
2010199730.tif 000017
【図１６】
2010199730.tif 000018
【図１７】
2010199730.tif 000019
【図１８】
2010199730.tif 000020
【図１９】
2010199730.tif 000021
【図２０】
2010199730.tif 000022
【図２１】
2010199730.tif 000023
【図２２】
2010199730.tif 000024
【図２３】
2010199730.tif 000025
【図２４】
2010199730.tif 000026
【図２５】
2010199730.tif 000027
【図２６】
2010199730.tif 000028
【図２７】
2010199730.tif 000029
【図２８】
2010199730.tif 000030
【図２９】
2010199730.tif 000031